(57)【特許請求の範囲】
【請求項１】
縦型の洗濯槽(３)と、
上記洗濯槽(３)内に給水するためのシャワー給水部(１０)と、
上記洗濯槽(３)内に送風する送風部(６)と、
上記シャワー給水部(１０)と上記送風部(６)を制御する制御装置(１００)と
を備え、
上記制御装置(１００)は、上記送風部(６)の吹き出し空気の風量を制御することにより、上記シャワー給水部(１０)からのシャワーの散水範囲を規制することを特徴とする洗濯機。
【請求項２】
請求項１に記載の洗濯機において、
上記制御装置(１００)は、洗い工程において上記シャワー給水部(１０)からのシャワーの散水範囲が広くなるように、上記送風部(６)の吹き出し空気の風量を制御する一方、すすぎ工程において上記シャワー給水部(１０)からのシャワーの散水範囲が狭くなるように、上記送風部(６)の吹き出し空気の風量を制御することを特徴とする洗濯機。
【請求項３】
請求項１または２に記載の洗濯機において、
上記送風部(６)は、上記洗濯槽(３)内の洗濯物を乾燥させるための空気を吹き出す乾燥ユニット(６)であることを特徴とする洗濯機。
【請求項４】
請求項１から３までのいずれか１つに記載の洗濯機において、
上記送風部(６)からの吹き出し空気は、上記洗濯槽(３)の上側から上記洗濯槽(３)内の底部に向かって扇状に広がることを特徴とする洗濯機。
【請求項５】
請求項１から４までのいずれか１つに記載の洗濯機において、
上記送風部(６)は、上記洗濯槽(３)の上側に配置され、
上記シャワー給水部(１０)は、上記洗濯槽(３)の上側かつ上記送風部(６)の吹出口(６ａ)よりも径方向外側に配置されていることを特徴とする洗濯機。
【発明の詳細な説明】
【技術分野】
【０００１】
この発明は、洗濯機に関する。
【背景技術】
【０００２】
従来、洗濯機としては、洗い工程やすすぎ工程の前の給水工程において、空気を含ませた泡沫状の水を洗濯槽内に給水するものがある(例えば、特開２００７−１１７７６１号公報(特許文献１)参照)。
【０００３】
上記洗濯機では、給水時に洗濯槽内の衣類に当たった水が飛散するのを防止すると共に、給水時の音を低減する。
【先行技術文献】
【特許文献】
【０００４】
【特許文献１】特開２００７−１１７７６１号公報
【発明の概要】
【発明が解決しようとする課題】
【０００５】
しかしながら、上記洗濯機では、空気を含んだ泡沫状の水が泡沫水発生手段から下方に向かって吐出するので、泡沫水発生手段の直下の衣類部分にしか給水されず、洗濯槽内の底部に広がった衣類全体に給水することができないという問題がある。上記洗濯機では、洗い工程前の洗濯槽内の衣類全体に対して給水することができないので、衣類全体が十分に濡れていない状態の洗い工程では洗浄能力が低下したり、衣類全体が濡れるまでに時間がかかり、洗濯時間が長くなったりする。
【０００６】
そこで、給水時に洗濯槽内の底部全体に散水する洗濯機が考えられる。なお、この洗濯機は、この発明を理解しやすくするために説明するものであって、公知技術ではなく、従来技術ではない。
【０００７】
そのような給水時に洗濯槽内の底部全体に散水する洗濯機では、すすぎ工程において脱水により衣類が洗濯槽内の底部の外周にリング状に偏るため、洗濯槽内の底部全体に散水しても、中央部分から散水された水がそのまま流出してすすぎに利用できないので、すすぎ効率が低下するという問題がある。
【０００８】
そこで、この発明の課題は、洗い工程の給水時に衣類全体を効率よく濡らすことができると共に、すすぎ工程においてすすぎ効率を向上できる洗濯機を提供することにある。
【課題を解決するための手段】
【０００９】
上記課題を解決するため、この発明の洗濯機は、
縦型の洗濯槽と、
上記洗濯槽内に給水するためのシャワー給水部と、
上記洗濯槽内に送風する送風部と、
上記シャワー給水部と上記送風部を制御する制御装置と
を備え、
上記制御装置は、上記送風部の吹き出し空気の風量を制御することにより、上記シャワー給水部からのシャワーの散水範囲を規制することを特徴とする。
【００１０】
また、一実施形態の洗濯機では、
上記制御装置は、洗い工程において上記シャワー給水部からのシャワーの散水範囲が広くなるように、上記送風部の吹き出し空気の風量を制御する一方、すすぎ工程において上記シャワー給水部からのシャワーの散水範囲が狭くなるように、上記送風部の吹き出し空気の風量を制御する。
【００１１】
また、一実施形態の洗濯機では、
上記送風部は、上記洗濯槽内の洗濯物を乾燥させるための空気を吹き出す乾燥ユニットである。
【００１２】
また、一実施形態の洗濯機では、
上記送風部からの吹き出し空気は、上記洗濯槽の上側から上記洗濯槽内の底部に向かって扇状に広がる。
【００１３】
また、一実施形態の洗濯機では、
上記送風部は、上記洗濯槽の上側に配置され、
上記シャワー給水部は、上記洗濯槽の上側かつ上記送風部の吹出口よりも径方向外側に配置されている。
【発明の効果】
【００１４】
以上より明らかなように、この発明によれば、送風部の吹き出し空気の風量を制御してシャワー給水部から吹き出すシャワーの散水範囲を規制することで、洗い工程の給水時に衣類全体を効率よく濡らすことができると共に、すすぎ工程においてすすぎ効率を向上できる洗濯機を実現することができる。
【図面の簡単な説明】
【００１５】
【図１】図１はこの発明の第１実施形態の洗濯機の一例としての縦型洗濯乾燥機の図である。
【図２】図２は上記縦型洗濯乾燥機を側方から見た縦断面図である。
【図３】図３は上記縦型洗濯乾燥機の制御ブロック図である。
【図４】図４は上記縦型洗濯乾燥機の洗い工程におけるシャワーの散水範囲を説明するための図である。
【図５】図５は上記縦型洗濯乾燥機のすすぎ工程におけるシャワーの散水範囲を説明するための図である。
【発明を実施するための形態】
【００１６】
以下、この発明の洗濯機を図示の実施の形態により詳細に説明する。
【００１７】
〔第１実施形態〕
図１はこの発明の第１実施形態の洗濯機の一例としての縦型洗濯乾燥機の外観を示す斜視図を示している。
【００１８】
この第１実施形態の縦型洗濯乾燥機は、図１に示すように、金属または合成樹脂製の本体ケーシング１と、水槽２,洗濯槽３(図２に示す)の開口を開閉する上蓋４と、本体ケーシング１の上面に運転動作を選択指示入力すると共に運転状態を表示する操作表示部５とを備える。
【００１９】
図２は上記縦型洗濯乾燥機を側方から見た縦断面図を示している。
【００２０】
この縦型洗濯乾燥機は、図２に示すように、金属または合成樹脂製の本体ケーシング１を備えている。本体ケーシング１は直方体形状に成形され、その上面および底面は開口部となっている。本体ケーシング１の上面開口部には操作表示部５等が設けられた合成樹脂製の上面板１１が固定されている。本体ケーシング１の底面開口部には、合成樹脂製のベース１２が固定されている。
【００２１】
上記縦型洗濯乾燥機内に洗濯物７０(図４,図５に示す)を投入するための洗濯物投入口１ａを上面板１１に設けている。その洗濯物投入口１ａを開閉する上蓋４を、縦型洗濯乾燥機の奧側で上面板１１に回動可能に支持している。上蓋４を上下に回動させて洗濯物投入口１ａを開閉する。
【００２２】
また、本体ケーシング１内には、洗濯槽３とその洗濯槽３を収納する水槽２を収容している。洗濯槽３は、洗剤を溶かした水またはすすぎ用の水を溜める。水槽２および洗濯槽３は、上側が開口した有底筒状のカップの形状をしており、各々中心軸を垂直にして、水槽２を外側とし、洗濯槽３を内側とする形で同軸に配置されている。
【００２３】
洗濯槽３の上部開口部の縁に、洗濯物７０の脱水のため洗濯槽３を高速回転させたときに振動を抑制する働きをする環状のバランサ４０を装着している。洗濯槽３内の底面に撹拌翼２０を回転可能に配置している。
【００２４】
また、本体ケーシング１内の水槽２の下側に、クラッチ・ブレーキ機構３１と駆動モータ３２とを有する駆動ユニット３０を取り付けている。このクラッチ・ブレーキ機構３１の回転軸３１ａの先端に撹拌翼２０を取り付けている。
【００２５】
上記縦型洗濯乾燥機は、本体ケーシング１内の上側かつ後面側に配置された送風部６を備えている。この送風部６は、洗濯槽３へと空気を吐出する吹出口の一例としての空気吹出部６ａと、その空気吹出部６ａよりも上位置に洗濯槽３内の空気を吸引する空気吸引部６ｂを備える。
【００２６】
また、本体ケーシング１内の送風部６近傍に、送風ファン(図示せず)とヒータ５０(図３に示す)を有する乾燥ユニット(図示せず)を配置している。
【００２７】
＜乾燥運転＞
乾燥運転時に、乾燥ユニットは、送風ファンにより吸い込んだ空気をヒータ５０で加熱して、加熱された乾燥用空気を送風ファン(図示せず)から洗濯槽３内に供給する。
【００２８】
さらに、乾燥効率を上げるために、水槽２の上端部と上面板１１との間を連結する環状の蛇腹状の弾性体７が取り付けられている。これにより、水槽２を含め洗濯槽３と上蓋４との間の空間を気密状態にし、乾燥効率を上げることができる。また、上蓋４からの下部を乾燥空間として利用できる。
【００２９】
上記縦型洗濯乾燥機の上蓋４の裏面側にハンガー係止部４ａ,４ｂを設けている。このハンガー係止部４ａ,４ｂにハンガー(図示せず)を掛けることによって、乾燥ユニットから洗濯槽３内に供給される乾燥空気により、洗濯槽３内に吊された洗濯物７０を効率よく乾燥できる。
【００３０】
＜シャワー給水＞
また、上記縦型洗濯乾燥機は、送風部６の下側かつ空気吹出部６ａの径方向外側(後面側)に間隔をあけて配置されたシャワー給水部１０を備えている。このシャワー給水部１０から給水弁８０(図３に示す)を介して水道水が、円錐状のシャワーとなって吹き出す(図２の領域Ｓ)。
【００３１】
なお、このシャワー給水部１０からの円錐状のシャワーの中心軸が、洗濯槽３内の撹拌翼２０の回転中心近傍を通るように、シャワー給水部１０の吹き出し方向を設定することで、洗濯槽３内の底部全体にシャワー水を供給可能にしている。
【００３２】
このシャワー給水部１０の先端に、内部に流路が形成されたノズル本体と、そのノズル本体の流路内に回転可能に配置された旋回子とを有する給水ノズル(図示せず)を設けている。上記給水ノズルの流路を、給水弁８０(図３に示す)を介して供給された水道水が通過するとき、ノズル本体に設けられた絞りにより生じた高圧水が旋回子に供給され、回転する旋回子により旋廻流が生じて給水ノズルの吐出口から円錐状に広がるように噴出する。
【００３３】
また、図３は上記縦型洗濯乾燥機の制御ブロック図を示している。この縦型洗濯乾燥機は、図３に示すように、マイクロコンピュータおよび入出力回路などからなる制御装置１００を備えている。この制御装置１００は、操作部５ａと表示部５ｂを有する操作表示部５と、水位センサ２２と、温度センサ２３と、湿度センサ２４と、扉開閉センサ２５と、クラッチ・ブレーキ機構３１と、駆動モータ３２と、送風ファン用モータ５０と、ヒータ６０および給水弁８０が接続されている。制御装置１００は、操作部５ａ,水位センサ２２,温度センサ２３,湿度センサ２４,扉開閉センサ２５からの信号に基づいて、表示部５ｂ,クラッチ・ブレーキ機構３１,駆動モータ３２,送風ファン用モータ５０,ヒータ６０および給水弁８０を制御する。
【００３４】
上記制御装置１００は、送風ファン用モータ５０の回転数を制御して、送風部６の空気吹出部６ａから洗濯槽３内に吹き出す空気の風量を制御する。
【００３５】
図４は上記縦型洗濯乾燥機の洗い工程におけるシャワーの散水範囲を説明するための図であり、図５は上記縦型洗濯乾燥機のすすぎ工程におけるシャワーの散水範囲を説明するための図である。図４,図５において、図２の縦断面図に示す構成部と同一の構成部には、同一参照番号を付している。
【００３６】
上記構成の縦型洗濯乾燥機によれば、図４に示すように、シャワー給水部１０からのシャワーの散水範囲が広くなるように、制御装置１００により送風部６を制御して送風部６から吹き出す空気の風量を少なくすることによって、シャワーの散水範囲を広くする。一方、図５に示すように、シャワー給水部１０からのシャワーの散水範囲が狭くなるように、制御装置１００により送風部６を制御して送風部６から吹き出す空気の風量を多くすることによって、吹き出し空気によりシャワーの散水範囲が狭くなる。
【００３７】
このように、送風部６の風量を制御することによって、シャワー給水部１０からのシャワーの散水範囲を容易に調整できるので、洗い工程の給水時にシャワーの散水範囲を広くすることによって、衣類全体を効率よく濡らすことができると共に、すすぎ工程においてシャワーの散水範囲を狭くすることによって、すすぎ効率を向上できる。
【００３８】
〔第２実施形態〕
この発明の第２実施形態の洗濯機の一例としての縦型洗濯乾燥機は、制御装置１００の動作を除いて第１実施形態の縦型洗濯乾燥機と同一の構成をしており、図１,図２を援用する。
【００３９】
この第２実施形態の縦型洗濯乾燥機では、洗い工程およびすすぎ工程以外の工程においても、シャワー給水部１０からシャワーを噴出する。例えば、脱水工程において、脱水中の衣類にシャワー給水部１０からシャワー給水するようにしてもよい。このとき、送風部６から吹き出し空気によりシャワーの散水範囲を規制する。
【００４０】
〔第３実施形態〕
この発明の第３実施形態の洗濯機の一例としての縦型洗濯乾燥機は、制御装置１００の動作を除いて第１実施形態の縦型洗濯乾燥機と同一の構成をしており、図１,図２を援用する。
【００４１】
上記構成の洗濯機において、制御装置１００は、洗い工程において上記シャワー給水部１０からのシャワーの散水範囲が広くなるように、送風部６の吹き出し空気の風量を制御する一方、すすぎ工程においてシャワー給水部１０からのシャワーの散水範囲が狭くなるように、送風部６の吹き出し空気の風量を制御する。
【００４２】
これにより、洗い工程においてシャワー給水部１０からのシャワーの散水範囲が広くなるように、制御装置１００により送風部６を制御して、送風部６からシャワーの散水範囲に重なるように吹き出した空気の風量を少なくすることによって、シャワーの散水範囲が広くなる。
【００４３】
したがって、洗い工程において給水時にシャワーを衣類全体に当てることが可能となり、衣類全体を効率よく濡らすことができる。図４に示すように、洗濯槽３内の底部に衣類が広がった状態では、洗濯槽３をゆっくり回転させることにより、衣類全体により均一にシャワー水を供給することができる。
【００４４】
また、すすぎ工程において衣類にシャワーを集中させることが可能となり、すすぎ効率を向上できる。特に、図５に示すように、脱水により衣類が洗濯槽内の底部の外周にリング状に偏る場合は、洗濯槽３をゆっくり回転させることにより、衣類全体に効率よくシャワー水を供給することができる。
【００４５】
〔第４実施形態〕
この発明の第４実施形態の洗濯機の一例としての縦型洗濯乾燥機は、乾燥ユニットが送風部６である点を除いて第１実施形態の縦型洗濯乾燥機と同一の構成をしており、図１,図２を援用する。
【００４６】
上記構成の洗濯機において、送風部６は、洗濯槽３内の洗濯物７０を乾燥させるための空気を吹き出す乾燥ユニットである。なお、この送風部６は、シャワーの散水範囲を制御するときは、乾燥用のヒータをオフにして送風のみを行う。
【００４７】
上記洗濯機では、洗濯槽３内の洗濯物７０を乾燥させるための空気を吹き出す乾燥ユニットを送風部６に兼用することによって、構成を簡略化でき、コストを低減することができる。
【００４８】
〔第５実施形態〕
この発明の第５実施形態の洗濯機の一例としての縦型洗濯乾燥機は、送風部６を除いて第１実施形態の縦型洗濯乾燥機と同一の構成をしており、図１,図２を援用する。
【００４９】
上記構成の洗濯機において、送風部６からの吹き出し空気は、洗濯槽３の上側から洗濯槽３内の底部に向かって扇状に広がる。
【００５０】
上記洗濯機では、洗濯槽３の上側から洗濯槽３内の底部に向かって扇状に広がるように送風部６から空気が吹き出して、シャワー給水部１０のシャワーを覆うようにするので、送風部６からの吹き出し空気が、シャワーの跳ね返りを抑えるエアカーテンの役割を果たすことができる。
【００５１】
〔第６実施形態〕
この発明の第６実施形態の洗濯機の一例としての縦型洗濯乾燥機は、送風部６を除いて第１実施形態の縦型洗濯乾燥機と同一の構成をしており、図１,図２を援用する。
【００５２】
上記構成の洗濯機において、送風部６は、洗濯槽３の上側に配置され、シャワー給水部１０は、洗濯槽３の上側かつ送風部６の吹出口６ａよりも径方向外側に配置されている。
【００５３】
上記洗濯機では、シャワー給水部１０が、洗濯槽３の上側かつ送風部６の吹出口６ａよりも径方向外側に配置されているので、洗濯槽３内においてシャワー給水部１０からのシャワーの散水範囲を、送風部６から吹き出した空気で覆うようにでき、シャワーの跳ね返りを効果的に抑えることができる。
【００５４】
上記第１〜第６実施形態では、送風部６による乾燥機能を備えた縦型洗濯乾燥機について説明したが、乾燥機能を備えていない縦型洗濯機にこの発明を適用してもよい。
【００５５】
また、上記第１〜第６実施形態では、シャワー給水部１０を備えた縦型洗濯乾燥機について説明したが、給水はシャワー給水部に限らず、シャワー給水部よりも水量の多い給水が可能な給水口を別に設けて、シャワー給水部からの給水と給水口からの給水を適宜組み合わせてもよい。
【００５６】
この発明の具体的な実施の形態について説明したが、この発明は上記第１〜第６実施形態に限定されるものではなく、この発明の範囲内で種々変更して実施することができる。例えば、上記第１〜第６実施形態で記載した内容を適宜組み合わせたものを、この発明の一実施形態としてもよい。
【００５７】
この発明および実施形態をまとめると、次のようになる。
【００５８】
この発明の洗濯機は、
縦型の洗濯槽３と、
上記洗濯槽３内に給水するためのシャワー給水部１０と、
上記洗濯槽３内に送風する送風部６と、
上記シャワー給水部１０と上記送風部６を制御する制御装置１００と
を備え、
上記制御装置１００は、上記送風部６の吹き出し空気の風量を制御することにより、上記シャワー給水部１０からのシャワーの散水範囲を規制することを特徴とする。
【００５９】
上記構成によれば、制御装置１００により送風部６を制御して送風部６から吹き出す空気の風量を少なくすることによって、吹き出し空気によるシャワーの広がりを抑える力が弱まりシャワーの散水範囲が広くなる一方、制御装置１００により送風部６を制御して送風部６から吹き出す空気の風量を多くすることによって、吹き出し空気によるシャワーの広がりを抑える力が強くなりシャワーの散水範囲が狭くなる。このように、送風部６の風量を制御することによって、シャワー給水部１０からのシャワーの散水範囲を容易に調整できるので、例えば、洗い工程において給水時にシャワーの散水範囲を広げて衣類全体に当てることが可能となり、衣類全体を効率よく濡らすことができると共に、すすぎ工程においてシャワーの散水範囲を狭めて衣類にシャワーを集中させることが可能となり、すすぎ効率を向上できる。
【００６０】
また、一実施形態の洗濯機では、
上記制御装置１００は、洗い工程において上記シャワー給水部１０からのシャワーの散水範囲が広くなるように、上記送風部６の吹き出し空気の風量を制御する一方、すすぎ工程において上記シャワー給水部１０からのシャワーの散水範囲が狭くなるように、上記送風部６の吹き出し空気の風量を制御する。
【００６１】
上記実施形態によれば、洗い工程においてシャワー給水部１０からのシャワーの散水範囲が広くなるように、制御装置１００が送風部６の吹き出し空気の風量を制御する。例えば、送風部６からシャワーの散水範囲に重なるように吹き出した空気の風量を少なくすることによって、シャワーの散水範囲が広くなる。
【００６２】
一方、すすぎ工程においてシャワー給水部１０からのシャワーの散水範囲が狭くなるように、制御装置１００が送風部６の吹き出し空気の風量を制御する。例えば、送風部６からシャワーの散水範囲に重なるように吹き出した空気の風量を多くすることによって、吹き出し空気によりシャワーの散水範囲が狭くなる。
【００６３】
また、一実施形態の洗濯機では、
上記送風部６は、上記洗濯槽３内の洗濯物７０を乾燥させるための空気を吹き出す乾燥ユニットである。
【００６４】
上記実施形態によれば、洗濯槽３内の洗濯物７０を乾燥させるための空気を吹き出す乾燥ユニットを送風部６に兼用することによって、構成を簡略化でき、コストを低減できる。
【００６５】
また、一実施形態の洗濯機では、
上記送風部６からの吹き出し空気は、上記洗濯槽３の上側から上記洗濯槽３内の底部に向かって扇状に広がる。
【００６６】
上記実施形態によれば、洗濯槽３の上側から洗濯槽３内の底部に向かって扇状に広がるように送風部６から空気が吹き出すので、送風部６からの吹き出し空気が、シャワーの跳ね返りを抑えるエアカーテンの役割を果たすことができる。
【００６７】
また、一実施形態の洗濯機では、
上記送風部６は、上記洗濯槽３の上側に配置され、
上記シャワー給水部１０は、上記洗濯槽３の上側かつ上記送風部６の吹出口６ａよりも径方向外側に配置されている。
【００６８】
上記実施形態によれば、シャワー給水部１０が、洗濯槽３の上側かつ送風部６の吹出口６ａよりも径方向外側に配置されているので、洗濯槽３内においてシャワー給水部１０からのシャワーの散水範囲を、送風部６から吹き出した空気で覆うようにでき、シャワーの跳ね返りを効果的に抑えることができる。
【符号の説明】
【００６９】
１…本体ケーシング
２…水槽
３…洗濯槽
４…上蓋
４ａ,４ｂ…ハンガー係止部
５…操作表示部
５ａ…操作部
５ｂ…表示部
６…送風部
６ａ…空気吹出部
６ｂ…空気吸引部
７…弾性体
１０…シャワー給水部
１１…上面板
１２…ベース
２０…撹拌翼
２２…水位センサ
２３…温度センサ
２４…湿度センサ
２５…扉開閉センサ
３０…駆動ユニット
３１…クラッチ・ブレーキ機構
３２…駆動モータ
４０…バランサ
５０…送風ファン用モータ
６０…ヒータ
７０…洗濯物
８０…給水弁
【図１】
0006389737.tif 000002
【図２】
0006389737.tif 000003
【図３】
0006389737.tif 000004
【図４】
0006389737.tif 000005
【図５】
0006389737.tif 000006